(57)【要約】      （修正有）【課題】バッグに容易に適用できる傘の収納構造を提供する。【解決手段】本バッグ１０は、いわゆるビジネスバッグであって、全体略縦長直方体状に形成され、マチ１９を有する側面長方形状のバッグ本体１１と、上記バッグ本体１１の上端部に形成された開口部を被覆するためのフラップ部２２とを有する。バッグ１０に設けられた傘の収納部構造１４は、バッグ本体１１の底板部１２と、底板部１２の外方に設けられた傘保持板部１３との間に傘２３を収納するように構成されている。【選択図】図４
0003158021.tif 000002
【実用新案登録請求の範囲】
【請求項１】
バッグ本体の底板部と、底板部の外方に設けられた傘保持板部との間に傘を収納することを特徴とする傘の収納部構造。
【請求項２】
上記底板部はバッグ本体内方へ向かって湾曲する外方面部を有し、上記傘保持板部は可撓性のある素材により形成され、傘の非収納状態においては上記外方面部に沿って配置されると共に傘収納時には撓んで上記外方面部から離間して傘の収納空間を形成しうることを特徴とする請求項１記載の傘の収納部構造。
【請求項３】
上記バッグ本体の下端部には、上記底板部の幅方向に沿って配置され、上記傘保持板部を外方から支持しうる固定部材が設けられると共に、
上記バッグ本体のマチ部の下端部には、上記底板部と傘保持板部の間に形成される傘の収納開口部を被覆しうる被覆部材が設けられていることを特徴とする請求項１記載の傘の収納部構造。
【請求項４】
上記底板部及び上記傘保持板部は皮革製であって、上記傘保持板部の幅寸法は上記底板部の幅寸法よりも小さいことを特徴とする請求項３記載の傘の収納部構造。
【請求項５】
上記固定部材はバッグ本体の長さ方向に沿って複数設けられていると共に、上記被覆部材は底板部及び傘保持板部により形成される収納空間の両端部を被覆することを特徴とする請求項３記載の傘の収納部構造。
【考案の詳細な説明】
【技術分野】
【０００１】
本考案は傘の収納部構造に係り、特に、バッグに設けられた傘の収納部構造に関する。
【背景技術】
【０００２】
一般に、外出時にバッグと共に傘を携帯する場合には、バッグ内に傘を収納する場合が多いが、バッグ内に傘を収納した場合には、バッグへの収納容積が減少することから、本来の収納物の収納ができなくなり不都合である。
そこで、従来より、傘が収納できるように構成されたバッグも提案されていた（特許文献１）。
【０００３】
しかしながら、このような従来の傘の収納構造が設けられたバッグにあっては、単に、バッグ本体の下端部に円筒状の傘収納部を設けたのみであり、具体的な構成を示唆していない。従って、このまま現実のバッグに適用することは困難であった。
【考案の開示】
【考案が解決しようとする課題】
【０００４】
本考案は、バッグに容易に適用できる傘の収納構造を提供することを課題とする。
【課題を解決するための手段】
【０００５】
そこで、請求項１記載の考案にあっては、バッグ本体の底板部と、底板部の外方に設けられた傘保持板部との間に傘を収納することを特徴とする。
従って、本考案にあっては、傘の収納部構造はバッグ本体の外方に設けられている。
【０００６】
請求項２記載の考案にあっては、上記底板部はバッグ本体内方へ向かって湾曲する外方面部を有し、上記傘保持板部は可撓性のある素材により形成され、傘の非収納状態においては上記外方面部に沿って配置されると共に傘収納時には撓んで上記外方面部から離間して傘の収納空間を形成しうることを特徴とする。
従って、請求項２記載の考案にあっては、傘の非収納状態時に上記外方面部に当接して配置されている傘保持板部を底板部から外方へ離間させて傘の収納空間を形成し、その収納空間へ傘を収納する。
【０００７】
請求項３記載の考案にあっては、上記バッグ本体の下端部には、上記底板部の幅方向に沿って配置され、上記傘保持板部を外方から保持しうる固定部材が設けられると共に、上記バッグ本体のマチ部の下端部には、上記底板部と傘保持板部の間に形成される傘の収納開口部を被覆しうる被覆部材が設けられていることを特徴とする。
従って、請求項３記載の考案にあっては、上記底板部と傘収納板部との間に傘を収納した後、上記固定部材により傘保持板部を保持するように固定することができる。また、上記被覆部材により上記底板部と傘保持板部との間に形成される傘の収納開口部を被覆することができる。
【０００８】
請求求項４記載の考案にあっては、上記傘保持板部は皮革製であると共に上記傘保持板部の幅寸法は上記底板部の幅寸法よりも小さいことを特徴とする。
【０００９】
請求項５記載の考案にあっては、上記固定部材はバッグ本体の長さ方向に沿って複数設けられていると共に、上記被覆部材は底板部及び傘保持板部により形成される収納空間の両端部を被覆することを特徴とする。
【考案の効果】
【００１０】
請求項１〜５記載の考案にあっては、バッグ本体の底板部と、底板部の外方に設けられた傘保持板部との間に傘を収納するように構成され、傘の収納部構造はバッグ本体の外方に設けられていることから、製造にあたっては、傘の収納部構造をバッグ本体に容易に形成することができる。
【００１１】
請求項２記載の考案にあっては、上記効果に加えて、傘の非収納状態時に上記外方面部に沿って配置されている傘保持板部を底板部から外方へ離間させて上記底板部との間に傘の収納空間を形成し、その傘の収納空間内へ傘を収納するように構成されていることから、傘の非収納時には上記傘保持板部を上記底板部に当接させた状態しておくことができるため、傘を収納する必要がない場合にはバッグの使用に差し支えることがなく、通常時のバッグの使用に支障を来すことのない傘の収納部構造を提供することができる。
【００１２】
請求項３記載の考案にあっては、上記底板部と傘収納板部との間に傘を収納した後、上記固定部材により傘保持板部を保持するように固定することができ、また、上記被覆部材により上記底板部と傘保持板部との間に形成される傘の収納開口部を被覆することができるように構成されていることから、確実に傘をバッグ本体にしっかりと固定させることができ、傘を収納した状態であってもバッグの取り回しに支障を来すことがないと共に、傘を収納した状態で傘が脱落する事態を防止することができる。
【００１３】
請求求項４記載の考案にあっては、上記傘保持板部は皮革製であると共に上記傘保持板部の幅寸法は上記底板部の幅寸法よりも小さく形成されていることから、上記傘保持板部は所定の剛性を有し、傘の非収納時には、上記傘保持板部は上記底板部の外側面にしっかりと当接し、バッグ使用時の妨げとなることはない。
【００１４】
請求項５記載の考案にあっては、上記固定部材はバッグ本体の長さ方向に沿って複数設けられていると共に、上記被覆部材は底板部及び傘保持板部により形成される収納空間の両端部を被覆することから、より確実に傘を収納することができる。
【図面の簡単な説明】
【００１５】
【図１】本考案の一実施の形態に係る傘の収納部構造を適用したバッグを示す斜視図である。
【図２】本考案の一実施の形態に係る傘の収納部構造を適用したバッグを示す側面図である。
【図３】本考案の一実施の形態に係る傘の収納部構造を適用したバッグを示す底面図である。
【図４】本考案の一実施の形態に係る傘の収納部構造を適用したバッグを示す横断面図である。
【考案を実施するための最良の形態】
【００１６】
以下、添付図面に示す実施の形態に基づき本考案を詳細に説明する。
図１に示すように、本実施の形態に係るバッグ１０に設けられた傘の収納部構造１４は、バッグ本体１１の底板部１２と、底板部１２の外方に設けられた傘保持板部１３との間に傘を収納するように構成されている。
【００１７】
本実施の形態に係るバッグ１０は、いわゆるビジネスバッグであって、全体略縦長直方体状に形成され、マチ１９を有する側面長方形状のバッグ本体１１と、上記バッグ本体１１の上端部に形成された開口部を被覆するためのフラップ部２２とを有する。
【００１８】
図１及び図２に示すように、本実施の形態にあっては、バッグ１０は全体が皮革製であって、図３に示すように、上記底板部１２は長方形状に形成されてバッグ本体１１の内方へ向かって湾曲して形成され、バッグ本体１１内方へ湾曲する外方面部１５を有している。
【００１９】
また、上記傘保持板部１３は同様に皮革製であって可撓性を有し、上記底板部１２と同様に長方形状に形成され、幅寸法は上記底板部１２の幅寸法よりも小さく形成されている。上記傘保持板部１３は、傘の非収納状態においては上記外方面部１５と同様に上記外方面部１５に沿って配置されている。また、図３に示すように、傘収納時には、使用者が上記傘保持板部１３を上記底板部１２から外方へ引きはがす。
この場合、上記傘保持板部１３は撓んで上記外方面部１５から離間して外方に向かって膨出し、傘の収納空間１７を形成する。
【００２０】
図１〜図３に示すように、上記バッグ本体１１の下端部には、上記底板部１２の幅方向に沿って配置され、上記傘保持板部１３を外方から保持しうる２本のベルト状の固定部材１８、１８が設けられると共に、上記バッグ本体１１のマチ部１９、１９の下端部には、上記底板部１２と傘保持板部１３の間に、バッグ本体１１の底板部１２の長さ方向両端部に形成される傘の収納開口部２０、２０を被覆しうる被覆部材２１、２１が、夫々、設けられている。
上記被覆部材２１、２１は、一端部は上記バッグ本体１１のマチ部１９に縫合固定されていると共に他端部は傘保持板部１３の長さ方向両端部にホック２４を介して着脱可能に固定される。
【００２１】
図３及び図４に示すように、上記ベルト状の固定部材１８、１８は、一端部はバッグ本体１１の、一方の側板部２５の下端部に縫合固定されると共に、他端部は上記傘保持板部１３上を掛け回され、他方の側板部２６に設けられたリング部１６により固定できるように構成されている。
【００２２】
以下、本実施の形態に係る傘の収納部構造の作用について説明する。
本実施の形態に係るバッグ１０に傘を収納していない場合には、上記のように、上記傘保持板部１３は上記底板部１２に当接し、底板部１２に沿ってバッグ本体１１の内方に向かって湾曲した状態にあることから、バッグ１０を使用する際の妨げとはならず、快適にバッグの使用を行うことができる。
【００２３】
また、傘２３を収納しようとする場合には、図３に示すように、上記収納開口部２０、２０の一方を被覆する被覆部材２１を開き、傘２３を傘の収納空間１７内に挿入する。その後、上記被覆部材２１により収納開口部２０を閉じ、上記ベルト状の固定部材１８、１８を上記リング部１６に掛け回して固定する。
これにより、図３及び図４に示すように、傘２３はベルト状の固定部材１８、１８により、上記傘保持板部１３を介してバッグ本体１１に対して押圧されて固定されることから、バッグ１０を使用する際に取り回した場合であっても、傘２３はバッグ本体１１に密着し、バッグ１０の使用感を損なうことはない。
【００２４】
また、被覆部材２１、２１により、傘の収納空間１７の両端部に形成された収納開口部２０、２０は被覆されていることから、外部から傘２３が視認されることもなく、外観品質に富んだ傘の収納部構造１４を提供することができる。
【００２５】
また、上記被覆部材２１、２１により収納開口部２０、２０が被覆されていることから、傘２３が脱落する事態を有効に防止することができる。
なお、本実施の形態にあっては、バッグ１１及び傘保持板部１３が皮革製の場合を例に説明したが、上記実施の形態に限定されず、布製であってもよい。
【産業上の利用可能性】
【００２６】
本考案に係る傘の収納部構造にあっては、広く各種のバッグに適用することができる。
【符号の説明】
【００２７】
１０  バッグ
１１  バッグ本体
１２  底板部
１３  傘保持板部
１４  傘の収納構造
１５  外方面部
１６  リング部
１７  傘の収納空間
１８  固定部材
１９  マチ部
２０  傘の収納開口部
２１  被覆部材
２２  フラップ部
２３  傘
２４  ホック
２５  側板部
２６  側板部
【図１】
0003158021.tif 000003
【図２】
0003158021.tif 000004
【図３】
0003158021.tif 000005
【図４】
0003158021.tif 000006